(57)【要約】      （修正有）【課題】微小な発光ダイオードの端子との電気的接触を確実にする、電子部品の分類機における検査機構を提供する。【解決手段】電極ホルダー１に固定された絶縁体ブロック３の頂面に、発光ダイオード６の端子に相当する間隔を隔てて固定された一対の弾性薄板状片持ち電極５を含み、片持ち電極は、吸着ヘッド１５が、該吸着ヘッドで吸着された発光ダイオードを片持ち電極に押しつけるとき、発光ダイオードの端子の縁を片持ち電極にこすり作用を伴って電気的に接触させるように斜めに撓む、電子部品分類機における検査機構。【選択図】図１
0003143846.tif 000002
【実用新案登録請求の範囲】
【請求項１】
電極ホルダーに固定された絶縁体ブロックの頂面に、発光ダイオードの端子に相当する間隔を隔てて固定された一対の弾性薄板状片持ち電極を含み、片持ち電極は、吸着ヘッドが、該吸着ヘッドで吸着された発光ダイオードを片持ち電極に押しつけるとき、発光ダイオードの端子の縁を片持ち電極にこすり作用を伴って電気的に接触させるように斜めに撓むことを特徴とする、電子部品分類機における検査機構。
【請求項２】
一対の弾性薄板状片持ち電極に水平に対して極僅かな傾斜角度を与えるために、電極ホルダーは回転調整可能に構成されている、請求項１に記載の電子部品分類機における検査機構。
【請求項３】
電極ホルダーは固定ベースに固定された軸で回動可能に支持された二股部を有し、電極ホルダーを回転調整するための手段を含み、該手段は、二股部の一方から下方に延びる突出部と、その両側で固定ベースから上方に突出した一対の耳部と、先端が電極ホルダーの突出部に両側から当たるように耳部に螺合された調整ねじと、を含む、請求項１又は２に記載の電子部品分類機における検査機構。
【考案の詳細な説明】
【技術分野】
【０００１】
本考案は、電子部品、特に微小な発光ダイオード（ＬＥＤ）の光学特性と電気的特性を検査して、発光ダイオードを同一特性毎に分類する分類機に関し、より具体的には、かかる分類機の検査機構に関する。
【背景技術】
【０００２】
発光ダイオードの生産では、その光学特性及び電気的特性は一般的には、不揃いである。携帯電話、小型パソコン等の用途には、一台に複数個の発光ダイオードが光源として用いられるのが普通であり、そのため発光ダイオードの特性むらは製品の品質に影響を及ぼすから、光学特性、電気特性の揃った発光ダイオードを使用することが要請される。このようなことから、分類機を使用して発光ダイオードの光学特性及び電気的特性を検査し、発光ダイオードを同一特性毎に分類することが行われている。かかる検査は、吸着ヘッドで発光ダイオードを吸着し、吸着ヘッドの下降により、吸着された発光ダイオードを、その下に配置されているばね付勢されたピン形電極（正極・負極）に押しつけて、発光ダイオードの後端に設けられた正・負の端子をピン形電極に電気的に接触させ、これによって発光ダイオードを発光させることによって行われる。
【０００３】
近年、発光ダイオードは、その用途とも関連して、益々小型化される傾向にあり、平面寸法が１．０ｍｍ×０．５ｍｍほどの超微小のものもある。そのような超微小な発光ダイオードを所定の向きのままでその端子を、検査に当たって、在来のばね付勢されたピン形電極に正確に接触させることは大変困難であることが分かった。
【考案の開示】
【考案が解決しようとする課題】
【０００４】
本考案の目的は、微小な発光ダイオードの端子との電気的接触と光学特性検査を確実にする、電子部品の分類機における検査機構を提供するにある。
【課題を解決するための手段】
【０００５】
本考案のかかる目的は、電極ホルダーに固定された絶縁体ブロックの頂面に、発光ダイオードの端子に相当する間隔を隔てて固定された一対の弾性薄板状片持ち電極を含み、片持ち電極は、吸着ヘッドが、該吸着ヘッドで吸着された発光ダイオードを片持ち電極に押しつけるとき、発光ダイオードの端子の縁を片持ち電極にこすり作用を伴って電気的に接触させるように斜めに撓むことを特徴とする、電子部品分類機における検査機構を提供することによって達成される。
【０００６】
本考案の好ましい実施形態では、一対の弾性薄板状片持ち電極に水平に対して極僅かな傾斜角度を与えるために電極ホルダーを回転調整可能に構成されている、電子部品分類機における検査機構を提供する。
【０００７】
本考案の更に好ましい実施形態では、電極ホルダーは固定ベースに固定された軸で回動可能に支持された二股部を有し、電極ホルダーを回転調整するための手段を含み、該手段は、二股部の一方から下方に延びる突出部と、その両側で固定ベースから上方に突出した一対の耳部と、先端が電極ホルダーの突出部に両側から当たるように耳部に螺合された調整ねじと、を含む。
【考案を実施するための最良の形態】
【０００８】
本考案による検査機構の詳細を添付図面を参照して以下に説明する。検査機構は、図１及び２に示すように、電極ホルダー１と、電極ホルダー１にビス２で固定された絶縁体ブロック３の水平な頂面にビス４で固定された一対の薄板状片持ち電極（正電極及び負電極）５と、を含む。片持ち電極５は、弾性に富み、且つ電気導電性に優れたベリリウム銅合金製であることが望ましく、図５に一例として示す発光ダイオード６の後端に設けられた一対の端子７に相当する間隔を保っている。片持ち電極５は、固定ベース８にビス９で固定された軸１０で回動可能に支持された二股部１１を有し、この二股部の一方に電極ホルダー１を回転調整するための手段を含み、該手段は、二股部の一方から下方に延びる突出部１２と、その両側で固定ベース８から上方に突出した一対の耳部１３と、先端が電極ホルダー１の突出部１２に両側から当たるように耳部１３に螺合された調整ねじ１４と、を含む。
【０００９】
吸着ヘッド１５は、周知のようにターレット式に間欠的に回転し、停止位置で垂直方向に上下動するようになっている。吸着ヘッド５は、また予め所定向きにして（一般的には、発光面６’を前にして）発光ダイオード６を吸着するようになっている。吸着ヘッド１５が、板状片持ち電極５の真上の位置で下降すると、吸着ヘッド１５は、図２、３及び４に示すように、吸着ヘッド１５で吸着された発光ダイオード６を片持ち電極５に押しつける。すると、片持ち電極５は、発光ダイオード６の端子７の縁７’を片持ち電極５にこすり作用を伴って電気的に接触させるように斜め下方に撓ませる。このように端子５の縁を片持ち電極に押し当てることにより、端子の縁を片持ち電極にこすりつけることになり、その結果、発光ダイオードの向きの変動が抑制されるとともに、端子と電極との電気接触が確実になる。このような電気接触により発光ダイオードは、その発光面６’において発光し、光学特性検査を確実にする。端子によるこすり作用は、ほぼ水平な片持ち電極においても起こるが、片持ち電極が水平に対してほんの僅か、例えば１乃至５度傾けられるときより良好なこすり作用が生じることが分かった。本考案によれば、片持ち電極のかかる傾斜は、下記の方法で調整することができる。突出部１２に両側から当たっている一対の調整ねじ１４を締めたり緩めたりして電極ホルダー１を軸１０を中心に回転させてその所望位置でビス１６により軸１０に固定する。かくして、片持ち電極を水平に対して極僅かな角度斜めに設定することができる。
【図面の簡単な説明】
【００１０】
【図１】本考案による検査機構の斜視図である。
【図２】図１の検査機構の側面図である。
【図３】弾性板状片持ち電極と発光ダイオードの関係を示す拡大平面図である。
【図４】図３の側面図である。
【図５】発光ダイオードの下から見た斜視図である。
【符号の説明】
【００１１】
１  電極ホルダー
３  絶縁体ブロック
５  一対の薄板状片持ち電極５
６  発光ダイオード
７  端子
８  固定ベース
１０  軸
１１  二股部
１２  突出部
１３  一対の耳部
１４  調整ねじ
１５  吸着ヘッド
【図１】
0003143846.tif 000003
【図２】
0003143846.tif 000004
【図３】
0003143846.tif 000005
【図４】
0003143846.tif 000006
【図５】
0003143846.tif 000007